(57)【要約】【課題】トイレ施設の浄化槽設備の前処理室に配置された屎渣処理装置の点検・清掃作業時間の短縮化及び作業の効率化を図るとともに、点検・清掃作業中の労働安全衛生環境の向上を図ることができる屎渣処理装置を提供する。【解決手段】屎渣処理装置１００は、トイレ施設で発生する屎尿やトイレットペーパーなどを含む汚物の排出経路１０内に排出経路１０の下流方向（矢印Ｘ方向）に向かって上り勾配をなす状態で配置され、汚物に混入した固形物（図示せず）を掻き上げるベルトコンベア式の荒目スクリーン２０と、排出経路１０内の汚物中から荒目スクリーン２０によって掻き上げられ荒目スクリーン２０の頂上部２０から落下する固形物を回収する屎渣カゴ３０と、屎渣カゴ３０に回収された固形物に向かって水を噴射する第１噴水手段４０と、誘導部材３０ｘに向かって水を噴射する第２噴水手段５０と、を備えている。【選択図】図１
2018199112.tif 000002
【特許請求の範囲】
【請求項１】
トイレ施設で発生する屎尿やトイレットペーパーなどを含む汚物の排出経路内に前記排出経路の下流方向に向かって上り勾配をなす状態で配置され、前記汚物に混入した固形物を掻き上げるベルトコンベア式のスクリーンと、
前記排出経路内の汚物中から前記スクリーンによって掻き上げられ前記スクリーンの頂上部から落下する固形物を回収する屎渣カゴと、を備えた屎渣処理装置において、
前記屎渣カゴに回収された前記固形物に向かって水を噴射する第１噴水手段を備えたことを特徴とする屎渣処理装置。
【請求項２】
前記スクリーンの頂上部から落下する前記固形物を前記屎渣カゴに向かって誘導する誘導部材を備えた請求項１記載の屎渣処理装置。
【請求項３】
前記誘導部材に向かって水を噴射する第２噴水手段を備えた請求項２記載の屎渣処理装置。
【請求項４】
前記第１噴水手段、第２噴水手段の少なくとも一方の水噴射方向が変更可能である請求項１〜３の何れかの項に記載の屎渣処理装置。
【請求項５】
前記排出経路に対し、前記第１噴水手段及び前記第２噴水手段が着脱可能である請求項３または４記載の屎渣処理装置。
【請求項６】
前記排出経路を構成する壁体部に立設された垂直軸を中心にして前記第１噴水手段及び前記第２噴水手段が旋回可能である請求項３または４記載の屎渣処理装置。
【請求項７】
前記第１噴水手段及び前記第２噴水手段が前記垂直軸に着脱可能である請求項６記載の屎渣処理装置。
【請求項８】
前記屎渣カゴが、透液性を有する多孔板若しくは網材で形成され、その底面部と周面部との境界に、前記底面部の中心に向かって接近する方向の勾配を有する傾斜面を備えた請求項１〜７の何れかの項に記載の屎渣処理装置。
【請求項９】
前記屎渣カゴを形成する多孔板が、重力に従う方向を長径とする複数の長孔を有する請求項８記載の屎渣処理装置。
【請求項１０】
前記屎渣カゴを形成する材料が、撥水性コーティングが施された材料、若しくは、撥水性材料である請求項１〜９の何れかの項に記載の屎渣処理装置。
【発明の詳細な説明】
【技術分野】
【０００１】
本発明は、高速自動車道路のＳＡ（サービスエリア）やＰＡ（パーキングエリア）などのトイレ施設に設置されている浄化槽設備の前処理室に設けられている屎渣処理装置に関する。
【背景技術】
【０００２】
高速自動車道路のＳＡやＰＡなどのトイレ施設には浄化槽設備が設置され、この浄化槽設備には、利用者がトイレを使用したときに発生する屎尿やトイレットペーパーなどを含む汚物が最初に流れ込む前処理室が設けられている。前処理室内には、浄化槽で処理できない屎渣（トイレから排出される屎尿などの汚物に混入した固形物）を取り除くための荒目スクリーンが配置されている。屎渣としては、ライター、貴金属類、装飾品、携帯電話、スマートホンあるいは生理用品などが一般的である。
【０００３】
荒目スクリーンは、突起付きの複数の回転ベルトを有するベルトコンベア式の装置であり、汚物中に混入した固形物を突起付き回転ベルトによって掻き上げる機能を有する。トイレから流れてきた汚物中から荒目スクリーンによって掻き上げられた固形物は、荒目スクリーンの下方に設置された屎渣カゴに回収される。一方、荒目スクリーンを通過した比較的小さな屎渣は、破砕機によって細かく砕かれ、後段に設けられた処理槽へ送られる。
【０００４】
ここで、本発明に関連する従来技術として、例えば、特許文献１に記載された「除塵脱水装置」などがある。この「除塵脱水装置」は、流入槽の下部に、押出機を備えた円筒スクリーンを配設し、円筒スクリーンの先端に、内部に搬送機を備えかつ上部から固形異物を取り出すようにした搬送筒を接続すると共に、この搬送筒内に乾燥用空気を吹き込む送風管を接続したことを特徴とするものである。
【先行技術文献】
【特許文献】
【０００５】
【特許文献１】特開平９−２２０６９６号公報
【発明の概要】
【発明が解決しようとする課題】
【０００６】
前処理室に配置されている荒目スクリーン及び屎渣カゴについては日常点検が行われ、このとき清掃及び動作確認も実施されているが、清掃作業の内、特に、屎渣カゴに回収された屎渣の均し作業に多くの労力と時間を要している。
【０００７】
即ち、屎渣カゴに回収された屎渣は山状に堆積しており、これをそのまま放置すると、屎渣が溢れて漏出し、この後に配置された破砕機による破砕作業に悪影響を及ぼすので、山状に堆積した屎渣を手作業で均す必要があり、この均し作業に多くの労力と時間を要している。
【０００８】
また、荒目スクリーンに付着した屎渣や屎渣カゴに山状に堆積した屎渣の一部が乾燥、固化して、清掃作業（洗い均し作業）の増大を招いたり、屎渣カゴが目詰まりし、本来は破砕機で処理可能なパルプ状のトイレットペーパーが屎渣カゴ内に多量に滞留したりするなどの問題が生じている。
【０００９】
さらに、荒目スクリーンや屎渣カゴの清掃作業中は屎尿などの汚物の跳ね返りが発生するので、跳ね返りに含まれる雑菌類が作業者の衣服などに付着して悪影響を及ぼす可能性がある。
【００１０】
一方、特許文献１に記載されている「除塵脱水装置」は、下水中に含まれる固形異物から固形汚物を除去し、脱水・乾燥を行う機能を有しているが、下水処理場で使用するための装置であるため、高速自動車道路のＳＡやＰＡなどのトイレ施設から発生する屎尿やトイレットペーパーなどを含む汚物中に混入した固形物(例えば、携帯電話、スマートホンあるいは貴金属類など)を分離回収する手段として使用することが困難である。
【００１１】
そこで、本発明が解決しようとする課題は、トイレ施設の浄化槽設備の前処理室に配置された屎渣処理装置の点検・清掃作業を容易化及び効率化するとともに、点検・清掃作業中の労働安全衛生環境の向上を図ることができる屎渣処理装置を提供することにある。
【課題を解決するための手段】
【００１２】
本発明に係る屎渣処理装置は、トイレ施設で発生する屎尿やトイレットペーパーなどを含む汚物の排出経路内に前記排出経路の下流方向に向かって上り勾配をなす状態で配置され、前記汚物に混入した固形物を掻き上げるベルトコンベア式のスクリーンと、
前記排出経路内の汚物中から前記スクリーンによって掻き上げられ前記スクリーンの頂上部から落下する固形物を回収する屎渣カゴと、を備えた屎渣処理装置において、
前記屎渣カゴに回収された前記固形物に向かって水を噴射する第１噴水手段を備えたことを特徴とする。
【００１３】
前記屎渣処理装置においては、前記スクリーンの頂上部から落下する前記固形物を前記屎渣カゴに向かって誘導する誘導部材を備えることが望ましい。
【００１４】
前記屎渣処理装置においては、前記誘導部材に向かって水を噴射する第２噴水手段を備えることが望ましい。
【００１５】
前記屎渣処理装置においては、前記第１噴水手段、第２噴水手段の少なくとも一方の水噴射方向が変更可能であることが望ましい。
【００１６】
前記屎渣処理装置においては、前記排出経路に対し、前記第１噴水手段及び前記第２噴水手段が着脱可能である構成とすることができる。
【００１７】
一方、屎渣処理装置においては、前記排出経路を構成する壁体部に立設された垂直軸を中心にして前記第１噴水手段及び前記第２噴水手段が旋回可能である構成とすることもできる。
【００１８】
前記構成においては、前記第１噴水手段及び前記第２噴水手段が前記垂直軸に着脱可能であることが望ましい。
【００１９】
次に、前記屎渣処理装置においては、前記屎渣カゴが、透液性を有する多孔板若しくは網材で形成され、その底面部と周面部との境界に、前記底面部の中心に向かって接近する方向の勾配を有する傾斜面を備えた構成とすることが望ましい。
【００２０】
前記構成においては、前記屎渣カゴを形成する多孔板が、重力に従う方向を長径とする複数の長孔を有することが望ましい。
【００２１】
前記屎渣処理装置においては、前記屎渣カゴを形成する材料として、撥水性コーティングが施された材料、若しくは、撥水性材料を使用することができる。なお、撥水性コーティングとしては、例えば、ポリテトラフルオロエチレン（商品名：テフロン)コーティングなどが好適である。
【発明の効果】
【００２２】
本発明により、トイレ施設の浄化槽設備の前処理室に配置された屎渣処理装置の点検・清掃作業時間の短縮化及び作業の効率化を図るとともに、点検・清掃作業中の労働安全衛生環境の向上を図ることができる屎渣処理装置を提供することができる。
【図面の簡単な説明】
【００２３】
【図１】本発明の第１実施形態である屎渣処理装置を示す一部省略正面図である。
【図２】図１中の矢線Ａ方向から見た屎渣処理装置の一部省略平面図である。
【図３】図１中の矢線Ｂ方向から見た屎渣処理装置の一部省略側面図である。
【図４】図１に示す屎渣処理装置を構成する第１噴水手段及び第２噴水手段への給水経路を示す図である。
【図５】図１に示す屎渣処理装置を構成する屎渣カゴを示す正面図である。
【図６】図５中の矢線Ｃ方向から見た屎渣カゴの側面図である。
【図７】図５に示す屎渣カゴの一部省略斜視図である。
【図８】本発明の第２実施形態である屎渣処理装置を示す一部省略平面図である。
【図９】図８中の矢線Ｄ方向から見た屎渣処理装置の一部省略正面図である。
【図１０】図８中の矢印Ｘ方向から見た支持部材２７付近を示す一部省略図である。
【図１１】旋回操作用治具を示す一部省略図である。
【発明を実施するための形態】
【００２４】
以下、図１〜図１１に基づいて、本発明の第１，２実施形態である屎渣処理装置１００，２００について説明する。
【００２５】
初めに、図１〜図７に基づいて、本発明の第１実施形態である屎渣処理装置１００について説明する。図１〜図３に示す屎渣処理装置１００は、高速自動車道路のＳＡやＰＡなどのトイレ施設の浄化槽設備の前処理室（図示せず）に配置されるものである。屎渣処理装置１００は、排出経路１０内に傾斜状態で配置されたベルトコンベア式の荒目スクリーン２０と、屎渣カゴ３０と、第１噴水手段４０と、第２噴水手段５０と、を備えている。
【００２６】
排出経路１０は、トイレ施設で発生する屎尿やトイレットペーパーなどを含む汚物を下流方向（矢印Ｘ方向）に沿って所定の処理装置（例えば、破砕機など）に向かって流動させるための経路である。排出経路１０は、対向する壁体部１４，１４と、底面１３と、を備えている。
【００２７】
荒目スクリーン２０は、その下端部２０ｂ側を排出経路１０の底面１３に接地させ、排出経路１０内に排出経路１０の下流方向（矢印Ｘ方向）に向かって上り勾配をなす状態で配置され、トイレ施設で発生する屎尿やトイレットペーパーなどを含む汚物に混入した固形物（図示せず）を掻き上げる機能を有するベルトコンベア式のスクリーンである。図１に示すように、本実施形態においては、荒目スクリーン２０の下り勾配の傾斜角度Ｒを６０度に設定しているが、これに限定するものではない。
【００２８】
荒目スクリーン２０は、排出経路１０を横断する方向の２本の回転軸２１ａ，２１ｂと、回転軸２１ａ，２１ｂに掛け渡された複数の回転ベルト２２と、回転軸２１ａを回転駆動するモータ２３と、を備えている。それぞれの回転ベルト２２には複数の突起（図示せず）が所定間隔に設けられている。
【００２９】
屎渣カゴ３０は、排出経路１０内の汚物中から荒目スクリーン２０によって掻き上げられ荒目スクリーン２０の頂上部２０から落下する固形物を回収するための容器である。図１，図３に示すように、複数の第１噴水手段４０は、屎渣カゴ３０に回収された固形物に向かって水を噴射する機能を有する。第２噴水手段５０は、屎渣カゴ３０に設けられた誘導部材３０ｘに向かって水を噴射する機能を有する。
【００３０】
図１〜図３に示すように、第１噴水手段４０及び第２噴水手段５０は、荒目スクリーン２０よりも下流側（矢印Ｘ方向の下方側）であって、荒目スクリーン２０の頂上部２０ａより低い位置に配置されている。第１噴水手段４０は、排出経路１０の横断方向に所定間隔を置いて２つ配置されており、第２噴水手段５０は、２つの第１噴水手段４０の間に配置されている。
【００３１】
図１〜図３に示すように、第１噴水手段４０及び第２噴水手段５０は、排出経路１０を跨ぐような状態で壁体部１４，１４の上面１４ａ，１４ａに載置された支持部材１７に取り付けられている。支持部材１７は、断面Ｌ字状のアングル材を組み合わせて形成され、排出経路１０を跨ぐ横架部１７ａと、壁体部１４，４の上面にそれぞれ当接する接地部１７ｂ，１７ｂと、を有する。横架部１７ａの両端部分に位置する接地部１７ｂ，１７ｂ上には、それぞれＰＥＴボトル１５を着脱可能に載置するためのトレイ部１６，１６が設けられている。横架部１７ａの上面には、横架部１７ａの長手方向に沿って、取っ手１８が設けられている。
【００３２】
２つの第１噴水手段４０は、横架部１７ａに垂下状に係止された縦軸４０ａと、縦軸４０ａに直角交差するように係止された横軸４０ｂと、を介して横架部１７ａに取り付けられている。第２噴水手段５０は、横架部１７ａに垂下状に係止された縦軸５０ａと、縦軸５０ａに斜め交差するように係止された横軸５０ｂと、を介して横架部１７ａに取り付けられている。
【００３３】
横架部１７ａに対する縦軸４０ａ，５０ａの係止位置、並びに、縦軸４０ａ，５０ａに対する横軸４０ｂ，５０ｂの係止角度はそれぞれ変更可能であるため、前記係止位置や前記係止角度を変更することにより、２つの第１噴水手段４０の配置高さ、及び、第１噴水手段４０からの水噴射方向はそれぞれ変更可能である。２つの第１噴水手段４０はそれぞれ水が円錐状に拡散するように噴射する機能を有する。
【００３４】
前述したように、第１噴水手段４０及び第２噴水手段５０は、支持部材１７に一体的に取付けられており、支持部材１７は排出経路１０を跨ぐような状態で壁体部１４，１４の上面１４ａ，１４ａに載置されている。このため、第１噴水手段４０及び第２噴水手段５０は排出経路１０に対して着脱可能である。
【００３５】
即ち、取っ手１８を把持して持ち上げれば、支持部材１７とともに第１噴水手段４０及び第２噴水手段５０は排出経路１０から離脱可能であり、逆の操作をすれば、支持部材１７とともに第１噴水手段４０及び第２噴水手段５０は排出経路１０に装着可能である。このため、後述する係止部材１２，１２に対する屎渣カゴ３０の着脱作業などを行うとき、支持部材１７とともに第１噴水手段４０及び第２噴水手段５０を排出経路１０から離脱させておけば、着脱作業を容易化することができる。
【００３６】
第１噴水手段４０及び第２噴水手段５０を排出経路１０に装着した後、水を入れたペットボトル１５，１５をそれぞれトレイ部１６，１６に載置すれば、水入りペットボトル１５，１５が錘となり、支持部材１７に取り付けられた第１噴水手段４０及び第２噴水手段５０を安定保持することができる。
【００３７】
図１〜図３に示すように、屎渣処理装置１００においては、荒目スクリーン２０の頂上部２０ａから落下する固形物を屎渣カゴ３０に向かって誘導するシューター２５が設けられている。２つの第１噴水手段４０は、屎渣カゴ３０内の底面部３１に向かって水を噴射する機能を有し、第２噴水手段５０は屎渣カゴ３０に設けられた誘導部材３０ｘの平面部分に向かって水を噴射する機能を有する。前述したように、第１噴水手段や第２噴水手段５０の配置高さ、並びに、第１噴水手段や第２噴水手段５０からの水噴射方向は変更可能である。
【００３８】
図４に示すように、給水源（図示せず）に接続された給水管６０は３本の送水管４１，４１，５１に分岐され、それぞれ電動弁４２，４２，５２及び送水ホース４３，４３，５３を経由して第１噴水手段４０，４０，５０に接続されている。電動弁４２，４２，５２は電池式であり、タイマー機能を有している。また、タイマー機能は、週間タイマーを有しているので、噴水時間、噴水間隔を任意に設定することができる。
【００３９】
図１，図３，図４に示すように、屎渣カゴ３０は、排出経路１０の左右の壁体部１４，１４の内側面１１，１１に設けられた断面Ｌ字状の係止部材１２，１２の間に着脱可能に嵌め込まれている。係止部材１２，１２はそれぞれ垂直部１２ａと水平部１２ｂとを有している。係止部材１２，１２は排出経路１０の底面１３から上方に所定距離を隔てた位置に、矢印Ｘ方向に所定距離を隔てて設けられている。
【００４０】
図１，図４に示すように、屎渣カゴ３０は、その傾斜面３５，３５がそれぞれ係止部材１２，１２の水平部１２ｂ，１２ｂに当接して、水平部１２ｂ，１２ｂの間に嵌り込んだ状態で水平姿勢に保持されている。本実施形態では、屎渣カゴ３０の開口縁部３０ａが、排出経路１０の底面１３から５０％〜６０％程度の高さの部分に位置するように屎渣カゴ３０を保持しているが、屎渣カゴ３０の保持位置は限定されない。
【００４１】
次に、図５〜図７に基づいて、屎渣カゴ３０の構造、機能などについて説明する。図５〜図７に示すように、屎渣カゴ３０は、透液性を有する多孔板で形成され、その長方形状の底面部３１と、４つの長方形状の周面部３２，３２，３３，３３との境界に、それぞれ底面部３１の中心線３１ｃに向かって接近する方向に傾いた傾斜面３４，３４，３５，３５を備えている。また、傾斜面３４，３４と傾斜面３５，３５との接合縁部３８，３８，３８，３８はそれぞれ下方に向かうにつれて底面部３１の中心線３１ｃに向かって接近する方向に傾いた直線形状をなしている。対向する二つの周面部３２，３２の外面の開口縁部３０ａ寄りの部分にはそれぞれ取っ手３６，３６が起立状に設けられている。
【００４２】
図５〜図７に示すように、屎渣カゴ３０において、対向する二つの周面部３３，３３のうちの一方の開口縁部３０ａから斜めに起立するような姿勢で平板状の誘導部材３０ｘが設けられている。誘導部材３０ｘは、複数のネジＮを用いて、屎渣カゴ３０の周面部３３に着脱可能に取付けられている。誘導部材３０ｘは、その上縁部３０ｘａに近づくにつれて中心線３１ｃから遠ざかる方向に傾斜した姿勢で周面部３３に取り付けられている。周面部３３に対する誘導部材３０ｘの傾斜角度は２５度であるが、これに限定するものではない。誘導部材３０ｘの背面部分（屎渣カゴ３０の外側に位置する部分）には補強用の複数のリブ３０ｙが固着されている。
【００４３】
図２，図５，図６に示すように、屎渣カゴ３０の底面部３１、４つの周面部３２，３２，３３，３３及び傾斜面３４，３４，３５，３５を形成する多孔板には、それぞれ複数の長孔３７及び丸孔３９が開設されている。また、４つの周面部３２，３２，３３，３３及び傾斜面３４，３４，３５，３５に開設された長孔３７は、重力に沿った方向を長径とするように配列されている。
【００４４】
さらに、屎渣カゴ３０を形成する多孔板は、撥水性コーティングの１つであるポリテトラフルオロエチレンコーティング（商品名：テフロンコーティング）が施されたステンレス鋼製であるが、これに限定するものではない。
【００４５】
図７に示すように、屎渣カゴ３０は、底面部３１と、４つの長方形状の周面部３２，３２，３３，３３との境界に、それぞれ底面部３１に近づくにつれて底面部３１の中心線３１ｃに向かって接近する方向に傾いた姿勢をなす傾斜面３４，３４，３５，３５を備えている。このため、屎渣カゴ３０の内面は、挟角が９０度未満の谷状部分が存在しない形状となっている。
【００４６】
次に、図１〜図７に基づいて屎渣処理装置１００の機能や効果などについて説明する。図１〜図３に示すように、ＳＡやＰＡのトイレ施設で発生する屎尿やトイレットペーパーなどを含む汚物が流れてくる排出経路１０内に設置された屎渣処理装置１００において、モータ２３をＯＮして荒目スクリーン２０を作動させると、汚物中に混入した固形物やトイレットペーパーの塊などは荒目スクリーン２０を構成する複数の回転ベルト２２によって掻き上げられ、頂上部２０ａから落下し、シューター２５で誘導されながら、屎渣カゴ３０内へ回収される。また、シューター２５よりも低い位置にて下降移動中の回転ベルト２２などから落下する固形物やトイレットペーパーの塊などは誘導部材３０ｘによって誘導され、屎渣カゴ３０内へ回収される。
【００４７】
屎渣処理装置１００の運転時間の経過に伴い、固形物やトイレットペーパーの塊などが屎渣カゴ３０内に山状に堆積していくので、点検作業の際に、電動弁４２，４２，５２を開くと、給水管６０から送水ホース４３，４３，５３を経由して送給される水がそれぞれ第１噴水手段４０及び第２噴水手段５０から噴出する。
【００４８】
２つの第１噴水手段４０は屎渣カゴ３０内の底面部３１に向かって水を噴射するので、屎渣カゴ３０内に形成された山状堆積物が平たく均されるとともに、トイレットペーパーの塊などは噴射水によって破砕され、屎渣カゴ３０の長孔３７や丸孔３９を通過して排出経路１０へ流出する。
【００４９】
第２噴水手段５０は、誘導部材３０ｘの平面部分に向かって水を噴射するので、誘導部材３０ｘに付着した固形物やトイレットペーパーなどが洗い落とされ、誘導部材３０ｘの傾斜に沿って水流とともに滑落して屎渣カゴ３０内へ回収される。
【００５０】
このように第１噴水手段４０及び第２噴水手段５０からそれぞれ水を噴射することにより、屎渣カゴ３０内の固形物や夾雑物などが洗浄され、トイレットペーパーの塊などは屎渣カゴ３０から排出されるので、固形物や夾雑物を減量化することができる。また、第１噴水手段４０及び第２噴水手段５０による洗浄作業は、作業員の手作業に頼ることなく、自動的に行われるので、点検作業時の安全衛生環境が向上し、点検作業の短縮化、効率化を図ることができる。
【００５１】
また、電動弁４２，４２，５２は電池式であり、週間タイマーなどのタイマー機能を有しており、噴水時間や噴水間隔などを任意に設定することができるので、清掃作業の自動化、無人化を図ることもできる。
【００５２】
図５〜図７に示すように、屎渣カゴ３０は、底面部３１と、４つの長方形状の周面部３２，３２，３３，３３との境界に、それぞれ底面部３１に向かうにつれて底面部３１の中心線３１ｃに向かって接近する方向に傾斜した傾斜面３４，３４，３５，３５を備えている。このため、屎渣カゴ３０の内面には挟角が９０度未満の谷状部分が存在せず、屎渣の滞留や付着を防止することができるだけでなく、屎渣カゴ３０内に収容された屎渣の排出作業も容易である。
【００５３】
さらに、屎渣カゴ３０の底面部３１、４つの周面部３２，３２，３３，３３及び傾斜面３４，３４，３５，３５を形成する多孔板にはそれぞれ複数の長孔３７が開設され、特に、４つの周面部３２，３２，３３，３３及び傾斜面３４，３４，３５，３５に開設された長孔３７は、重力に沿った方向を長径とするように配列されている。このため、屎渣カゴ３０内に回収されたパルプ状のトイレットペーパーは長孔３７を円滑に通過して排出経路１０へ流出され、目詰まりを防止することができる。
【００５４】
屎渣カゴ３０においては、長孔３７の長径を３０ｍｍ、短径を１０ｍｍとし、丸孔の内径を６ｍｍとしている。長孔３７の長径３０ｍｍは、荒目スクリーン２０の回転ベルト２２の配置間隔５０ｍｍより小さく、一般的なライター（サイズが２５ｍｍ×１１ｍｍ×８０ｍｍ）が通過不能なサイズに設定しているが、これに限定するものではない。
【００５５】
次に、図８〜図１１に基づいて、本発明の第２実施形態である屎渣処理装置２００について説明する。なお、図８〜図１０に示す屎渣処理装置１００の構成部分において、前述した屎渣処理装置１００の構成部分と共通する部分については、図１〜図７中の符号と同符号を付して説明を省略する。
【００５６】
図８〜図１０に示すように、屎渣処理装置２００においては、排出経路１０を構成する壁体部１４，１４のうちの一方の壁体部１４の上面１４ａに固定部材２８ｂ及び複数のアンカーボルト２８ｃを介して垂直軸２８が立設され、この垂直軸２８に支持部材２７の基端側の軸受部２７ｘが回転可能に軸支されている。支持部材２７の先端側にはリング状の治具受け部２７ｙが設けられている。支持部材２７の上面には取っ手１８が設けられている。
【００５７】
垂直軸２８の上端側には、軸受部２７ｘの離脱防止用の固定ボルト２８ａが螺着されている。軸受部２７ｘの下端側の外周には、支持部材２７と反対側に突出した突片部材２７ｚが取り付けられている。突片部材２７ｚには、ボールプランジャ２９が、垂直軸２８と平行に取り付けられている。ボールプランジャ２９は、垂直軸２８の固定部材２８ｂに設けられた所定のロック位置に係脱可能に係合する。
【００５８】
図８に示すように、第１噴水手段４０及び第２噴水手段５０は支持部材２７とともに垂直軸２８を中心にし、矢線Ｓ方向に沿って、旋回可能である。支持部材２７は、排出経路１０を直角に跨ぐ位置Ｓ１と、垂直軸２８が存在する側の壁体部１４に接近した位置Ｓ１と、の間の６０度の範囲内を旋回可能である。
【００５９】
垂直軸２８を中心にして支持部材２７を旋回させたとき、支持部材２７が位置Ｓ１，Ｓ２に来たとき、ボールプランジャ２９が固定部材２８ｂのロック位置に係合して支持部材２７がロックされる。また、固定部材２８ｂ上には、支持部材２７の旋回範囲を位置Ｓ１，Ｓ２の間に規制するための複数のエンドストッパ２８ｄ，２８ｄが立設されている。
【００６０】
２つの第１噴水手段４０は、支持部材２７に垂下状に係止された縦軸４０ａと、縦軸４０ａに交差するように係止された横軸４０ｂと、を介して支持部材２７に取り付けられている。第２噴水手段５０は、支持部材２７に垂下状に係止された縦軸５０ａと、縦軸５０ａに交差するように係止された横軸５０ｂと、を介して支持部材２７に取り付けられている。
【００６１】
支持部材２７に対する縦軸４０ａ，５０ａの係止位置、並びに、縦軸４０ａ，５０ａに対する横軸４０ｂ，５０ｂの係止角度はそれぞれ変更可能であるため、前記係止位置や前記係止角度を変更することにより、２つの第１噴水手段４０の配置高さ、第１噴水手段４０と第２噴水手段５０との間隔、並びに、第１噴水手段４０及び第２噴水手段５０からの水噴射方向はそれぞれ変更可能である。
【００６２】
図８〜図１０に示すように、屎渣処理装置２００は、排出経路１０内に傾斜状態で配置されたベルトコンベア式の荒目スクリーン２０と、屎渣カゴ３０と、第１噴水手段４０と、第２噴水手段５０と、を備えている。このため、屎渣処理装置２００は、図１〜図３に示す屎渣処理装置１００と同様の作用効果を得ることができる。
【００６３】
また、屎渣処理装置２００においては、排出経路１０を構成する壁体部１４の上面１４ａに立設された垂直軸２８を中心にして、支持部材２７とともに第１噴水手段４０及び第２噴水手段５０が旋回可能である。このため、支持部材１７を、図８中に示す位置Ｓ２の部分に退避させておけば、係止部材１２，１２に対する屎渣カゴ３０の着脱作業などを容易化することができる。
【００６４】
図１１は、垂直軸２８を中心にして支持部材２７を旋回操作するときに使用する旋回操作用治具７０を示している。図１１に示すように、旋回操作用治具７０は、棒状の本体部７１と、本体部７１の先端側をＬ字状に折り曲げて形成されたフック部７２と、本体部７１の基端側に形成されたロ字状の把持部７３と、を備えている。
【００６５】
図８中の矢線Ｓで示すように支持部材２７を旋回させたいとき、壁体部１４の上面１４ａなどに居る作業者（図示です）は、その手で旋回操作用治具７０の把持部７３を把持し、フック部７２を、支持部材２７の先端側の治具受け部２７ｙに挿入すれば、把持部７３を引いたり、押したりするだけの簡単な操作で支持部材２７を旋回させることができる。
【００６６】
さらに、図８，図９に示す屎渣処理装置２００においては、第１噴水手段４０及び第２噴水手段５０が垂直軸２８に着脱可能である。即ち、固定ボルト２８を緩めて垂直軸２８から離脱させ、取っ手１８を把持して、図９，図１０中に示す矢線Ｇ方向に持ち上げれば、第１噴水手段４０及び第２噴水手段５０は支持部材２７とともに垂直軸２８から取り外すことができ、逆の操作をすれば、支持部材２７とともに第１噴水手段４０及び第２噴水手段５０を垂直軸２８に取り付けることができる。このため、第１噴水手段４０や第２噴水手段５０のメンテナンスや位置調整、あるいは、支持部材２７に取り付けられた各種部材の交換などを行うときの作業性も良好である。
【００６７】
なお、図１〜図１１に基づいて説明した屎渣処理装置１００，２００は、本発明に係る屎渣処理装置を例示するものであり、本発明に係る屎渣処理装置は前述した屎渣処理装置１００，２００に限定されない。
【産業上の利用可能性】
【００６８】
本発明の屎渣処理装置は、高速自動車道路のＳＡ（サービスエリア）やＰＡ（パーキングエリア）のトイレ施設あるいはその他の公共施設のトイレなどに設置されている浄化槽設備の前処理手段として、広く利用することができる。
【符号の説明】
【００６９】
１０  排出経路
１１  内側面
１２  係止部材
１２ａ  垂直部
１２ｂ  水平部
１３  底面
１４  壁体部
１４ａ  上面
１５  ＰＥＴボトル
１６  トレイ部
１７，２７  支持部材
１７ａ  横架部
１７ｂ  接地部
１８，３６  取っ手
２０  荒目スクリーン
２０ａ  頂上部
２０ｂ  下端部
２１ａ，２１ｂ  回転軸
２２  回転ベルト
２３  モータ
２５  シューター
２７ｘ  軸受部
２７ｙ  治具受け部
２７ｚ  突片部材
２８  垂直軸
２８ａ  固定ボルト
２８ｂ  固定部材
２８ｃ  アンカーボルト
２８ｄ  エンドストッパ
３０  屎渣カゴ
３０ａ  開口縁部
３０ｘ  誘導部材
３０ｘａ  上縁部
３０ｙ  リブ
３１  底面部
３１ｃ  中心線
３２，３３  周面部
３４，３５  傾斜面
３７  長孔
３８  接合縁部
３９  丸孔
４０  第１噴水手段
４０ａ，５０ａ  縦軸
４０ｂ，５０ｂ  横軸
４１，５１  送水管
４２，５２  電動弁
４３，５３  送水ホース
５０  第２噴水手段
６０  給水管
７０  旋回操作用治具
７１  本体部
７２  フック部
７３  把持部
１００，２００  屎渣処理装置
Ｒ  傾斜角度
Ｓ１，Ｓ２  位置
【図１】
2018199112.tif 000003
【図２】
2018199112.tif 000004
【図３】
2018199112.tif 000005
【図４】
2018199112.tif 000006
【図５】
2018199112.tif 000007
【図６】
2018199112.tif 000008
【図７】
2018199112.tif 000009
【図８】
2018199112.tif 000010
【図９】
2018199112.tif 000011
【図１０】
2018199112.tif 000012
【図１１】
2018199112.tif 000013